(57)【要約】【課題】ネイルケアやネイルアートの適切な練習が困難であること。【解決手段】本発明であるハンドマネキンは、先端に爪部材を装着可能な５本の指部を備えたハンドマネキンであって、各指部は、それぞれ回動する複数の関節部と、当該関節部を回動させるよう可動する可動機構と、を備えており、関節部を回動させて各指部を曲げるよう、可動機構の可動状態を操作する操作部を備える。そして、可動機構は、操作部が操作されることにより可動して、５本の指部のうち、少なくとも１本の指部を曲げるよう構成されている。【選択図】図２
2016174743.tif 000002
【特許請求の範囲】
【請求項１】
先端に爪部材を装着可能な５本の指部を備えたハンドマネキンであって、
前記各指部は、それぞれ回動する複数の関節部と、当該関節部を回動させるよう可動する可動機構と、を備えており、
前記関節部を回動させて前記各指部を曲げるよう、前記可動機構の可動状態を操作する操作部を備え、
前記可動機構は、前記操作部が操作されることにより可動して、前記５本の指部のうち、少なくとも１本の指部を曲げるよう構成されている、
ハンドマネキン。
【請求項２】
請求項１に記載のハンドマネキンであって、
前記操作部は、全部の指部、又は、５本のうち特定の指部、を曲げるよう、前記可動機構の可動状態を操作可能に構成されている、
ハンドマネキン。
【請求項３】
請求項１又は２に記載のハンドマネキンであって、
前記可動機構は、前記指部の長手方向に沿って配置され一端が前記指部の先端に取り付けられたワイヤーと、当該ワイヤーを引っ張る引っ張り機構と、を有し、
前記操作部は、前記引っ張り機構にて前記指部の先端に取り付けられた前記ワイヤーの一端を他端側に引っ張るよう前記可動機構を操作可能に構成されている、
ハンドマネキン。
【発明の詳細な説明】
【技術分野】
【０００１】
本発明は、ハンドマネキンにかかり、特に、ネイルケア練習用のハンドマネキンに関する。
【背景技術】
【０００２】
ネイルケアやネイルアートを練習する際に、手の形の模型つまりハンドマネキンが用いられる。ここで、ハンドマネキンとしては、例えば、特許文献１に開示する１本指のものや、特許文献２に開示の５本指のものがある。
【０００３】
具体的に、特許文献１のものは、指の関節が可動可能に構成されている。これにより、必要な角度に指を曲げることができ、所望の指の折り曲げ角度で練習することができる。また、特許文献２のものは、５本指を有しており、実際の人間の爪の向きとは異なり、ネイルケアやネイルアートを練習しやすいよう親指の爪が真上を向いている。
【先行技術文献】
【特許文献】
【０００４】
【特許文献１】特開２００６−３２０４５１号公報
【特許文献２】特開２００８−０９３２１２号公報
【発明の概要】
【発明が解決しようとする課題】
【０００５】
しかしながら、上述した特許文献１や特許文献２に開示されたハンドマネキンでは、質の高い練習を行うことができない。例えば、特許文献１では、指が１本しかないため、実際の人間の手とは異なり適切な練習ができない、という問題が生じる。また、特許文献２では、指が５本あるが、指が固定的であって可動しないため、実際の人間の手と異なり適切な練習ができない、という問題が生じる。
【０００６】
このため、本発明の目的は、上述した課題である、ネイルケアやネイルアートの適切な練習ができないこと、を解決することにある。
【課題を解決するための手段】
【０００７】
本発明の一形態であるハンドマネキンは、
先端に爪部材を装着可能な５本の指部を備えたハンドマネキンであって、
前記各指部は、それぞれ回動する複数の関節部と、当該関節部を回動させるよう可動する可動機構と、を備えており、
前記関節部を回動させて前記各指部を曲げるよう、前記可動機構の可動状態を操作する操作部を備え、
前記可動機構は、前記操作部が操作されることにより可動して、前記５本の指部のうち、少なくとも１本の指部を曲げるよう構成されている、
という構成をとる。
【０００８】
また、上記ハンドマネキンは、
前記操作部は、全部の指部、又は、５本のうち特定の指部、を曲げるよう、前記可動機構の可動状態を操作可能に構成されている、
という構成をとる。
【０００９】
本発明の上記ハンドマネキンは、
前記可動機構は、前記指部の長手方向に沿って配置され一端が前記指部の先端に取り付けられたワイヤーと、当該ワイヤーを引っ張る引っ張り機構と、を有し、
前記操作部は、前記引っ張り機構にて前記指部の先端に取り付けられた前記ワイヤーの一端を他端側に引っ張るよう前記可動機構を操作可能に構成されている、
という構成をとる。
【発明の効果】
【００１０】
本発明は、上述したように構成されることにより、全ての指や特定の指を、操作部を操作するといった簡易な操作で曲げることができる。従って、ネイルケアやネイルアートを練習する際に、ハンドマネキンを容易に希望する指の形態にすることができるため、適切な練習を行うことができる。
【図面の簡単な説明】
【００１１】
【図１】本発明におけるハンドマネキンの外観構成を示す図である。
【図２】図１に開示したハンドマネキンの指の構造及び可動状態を示す図である。
【図３】図１に開示したハンドマネキンの指を可動させた時の状態を示す図である。
【図４】本発明におけるハンドマネキンの他の構成を示し、可動状態の一例を示す図である。
【発明を実施するための形態】
【００１２】
＜実施形態１＞
本発明の第１の実施形態を、図１乃至図４を参照して説明する。図１乃至図３は、ハンドマネキンの一例の構成及び可動状態を示す図である。図４は、ハンドマネキンの他の例の構成及び可動状態を示す図である。
【００１３】
図１に示すように、本発明におけるハンドマネキン１は、人間の手の形状をしており、５本の指部１０を有して構成されている。そして、ハンドマネキン１は、例えば、柔軟性のある樹脂などの素材で形成されている。
【００１４】
ハンドマネキン１の各指部１０には、先端に爪部材２０を装着可能な爪付け部１１が形成されている。なお、図１の例では、薬指に相当する指部材１０には爪部材２０が装着されておらず、人差し指に相当する指部材１０には爪部材２０が装着されていることとする。
【００１５】
爪付け部１１は、爪部材２０の形状に対応した形状の凹部で形成されている。また、爪付け部１１には、図１の符号１２に示す、装着される爪部材２０の付け根に位置する箇所に、爪部材２０の一部が挿入される溝が形成されている。なお、図１の符号１３に示す爪付け部１１の側部の皮膚部分は、他の部位よりもさらに柔軟性を有して形成されている。これにより、ネイルケア練習時に皮膚部分を下方に押し下げる、いわゆるスキンダウンを容易に行うことができる。
【００１６】
ハンドマネキン１の手の甲に位置する箇所には、ハンドマネキン１の指部１０を曲げる際に操作する操作部３０が設けられている。操作部３０は、円柱形状に形成されており、掴んで回転させることができる。
【００１７】
次に、指部１０の内部構成について、図２を参照して説明する。図２（Ａ）は、指部１０の内部構成を示している。なお、指部１０は、すべてがほぼ同じ構成となっている。
【００１８】
指部１０は、人間の指と同様に位置する複数の関節部４３を有している。関節部４３は、例えば、ヒンジなどの回動する回動部材にて構成されており、各関節部４３はリンク部材４２で連結されている。そして、ハンドマネキン１には、関節部４３を回動させるよう可動する可動機構を備えている。
【００１９】
上記可動機構として、まず、指部１０の先端に位置するリンク部材４２の端部に、一端が取り付けられたワイヤー４４を備える。また、可動機構として、指部１０の付け根側つまり手の甲側の内部に装備された、ワイヤー４４を引っ張る巻取部４５（引っ張り機構）を備える。このとき、ワイヤー４４は、一端が指部１０の先端に取り付けられた状態で、指部１０の長手方向に沿って配置され、他端が巻取部４５に連結している。巻取部４５は、ワイヤー４４の他端側を巻き取るよう構成されており、これにより、ワイヤー４４の一端側を指部１０の付け根側に引っ張るよう可動する。なお、ワイヤー４４の一端は、指部１０の内部のリンク部材４２に取り付けられ、他端は手の内部の巻取部４５に連結しているが、その他部分は、図２（Ａ）に示すように、指部１０つまりハンドマネキン１自体の外部に露出している。
【００２０】
そして、上述したハンドマネキン１の甲上に装備された操作部３０は、内部に装備された巻取部４５と連結しており、当該巻取部４５を含んで構成された可動機構の可動状態を操作する。例えば、操作部３０を回転操作することで、巻取部４５がワイヤー４４を巻き取るよう可動する。これにより、図２（Ｂ）に示すように、ワイヤー４４の一端側が他端側に引っ張られるため、各関節部４３が回動して指部１０が曲がることとなる。
【００２１】
なお、図２（Ａ）に示すように、指部１０内には、長手方向に沿って、所定の長さを有する平板状の板バネ部材４１が内蔵されている。この板バネ部材４１は、弾力性を有し、曲げられた場合には平板形状に復元するよう作動する。このため、図２（Ｂ）に示す指部１０が曲げられた状態で、操作部３０を逆方向に回転操作してワイヤー４４の巻取状態を解除することで、ワイヤー４４が引っ張られた状態が解除され、板バネ部材４１の復元力により、図２（Ａ）に示すように指部１０が伸びた状態に戻る。
【００２２】
なお、本実施形態では図３に示すように、全ての指部１０にそれぞれ取り付けられた各ワイヤー４４が、一つの巻取部４５に連結されていることとする。この場合には、一つの操作部３０を操作することで、全てのワイヤー４４がまとめて巻き取られることとなる。すると、図３に示すように、全ての指部１０を同時に曲げることができる。
【００２３】
ここで、図４に示すように、各指部１０にそれぞれ対応して、操作部３１及び巻取部４５を設けてもよい。そして、各指部１０の先端にそれぞれ取り付けられた各ワイヤー４４の他端を、それぞれ各指部１０に対応する操作部３１及び巻取部４５に取り付ける。この場合には、所望の指部１０に対応する操作部３１を操作することで、操作した操作部３１に対応する巻取部４５に取り付けられたワイヤー４５のみが巻き取られる。このため、操作した操作部３１に対応する指部１０のみを曲げることができる。図４の場合には、中指、薬指、小指１０’のみが曲げられた状態となり、人差指１０、親指は伸ばしたままの状態とすることができる。
【００２４】
以上のように、本願発明によると、全ての指や特定の指部１０を、操作部３０を操作するといった簡易な操作で曲げることができる。従って、ネイルケアやネイルアートを練習する際に、容易に希望する指の形態に可動させることができるため、適切な練習を行うことができる。
【００２５】
なお、上述した指部１０を曲げるための構成、つまり、関節部や回動機構、さらに操作部３０の構成は一例であって、他の構造で指部１０を曲げるよう構成してもよい。例えば、指部１０の各関節部４３にモータなどのアクチュエータを設けて関節を回転させてもよい。その場合に、操作部３０は、曲げる指部１０を指定するボタンを有し、指定された指部１０のアクチュエータに対して可動指令信号を伝送してもよい。
【００２６】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００２７】
１  ハンドマネキン
１０，１０’  指部
１１  爪付け部
２０  爪部材
３０，３１  操作部
４１  板バネ部材
４２  リンク部材
４３  関節部
４４  ワイヤー
４５  巻取部
【図１】
2016174743.tif 000003
【図２】
2016174743.tif 000004
【図３】
2016174743.tif 000005
【図４】
2016174743.tif 000006